(57)【要約】【課題】周辺環境の変化に係わらず、動画記録中に駆動機構の駆動音が記録されることを防止することが可能な撮影装置および撮影方法を提供する。【解決手段】動画撮影に先だって駆動音を発生するＮＤフィルタ駆動モータ１２を動作させ、ＮＤフィルタ駆動モータ１２の動作時に駆動音を録音し（Ｓ９）、駆動音と逆位相音を生成し（Ｓ１３）、逆位相音を記録し（Ｓ１５）、逆位相音の記録後、動画撮影を開始し（Ｓ１７）、ＮＤフィルタ駆動モータ１２の動作時に、記録された逆位相音を出力する（Ｓ２３）。【選択図】  図２
2012018203.tif 000002
【特許請求の範囲】
【請求項１】
撮影光学系を介して被写体を撮像素子により撮像して撮像信号を取得する撮影装置において、
上記撮像信号を動画として記録する動画記録部と、
上記動画記録部の動画記録時に音声情報を取得し、音声データに変換して記録する音声記録部と、
上記撮影光学系の光路に選択的に光学素子を挿入および抜出動作を可能な光学素子駆動部と、
上記動画記録部による動画記録動作を開始する前に、上記光学素子駆動部により上記光学素子を上記光路に挿入および抜出動作を行い、上記音声記録部により上記光学素子の動作に伴い発生する駆動音を取得させ、駆動音の逆位相音データを生成して記録する逆位相音信号生成部と、
上記動画記録部による動画記録動作中に、上記光学素子の上記光路への挿入または抜出動作に同期して、上記逆位相音信号生成部の出力する上記逆位相音データに基づいて逆位相音を発生する音声発生部と、
を具備することを特徴とする撮影装置。
【請求項２】
上記光学素子の動作に伴い発生する駆動音が所定量の高周波成分を含むか否かを判定する判定部を有し、
上記判定部が、所定量の高周波成分を含むと判定した場合は、動画記録動作中の上記光学素子の上記光路に挿入および抜出動作時には、音声記録のサンプリングレートを下げて音声記録を行い、上記音声発生部が逆位相音を発生することを禁止することを特徴とする請求項１に記載の撮影装置。
【請求項３】
上記撮像素子の動作タイミングを制御するタイミング信号を発生する撮像制御部を有し、
上記光学素子駆動部は、上記撮像制御部の出力するタイミング信号に同期して、上記光学素子の挿入および抜出動作を行うとともに、上記逆位相音生成部は上記タイミング信号に同期して駆動を取得し上記逆位相音データを生成して記録することを特徴とする請求項１に記載の撮影装置。
【請求項４】
上記音声発生部は、上記タイミング信号に同期して、上記逆位相音を発生することを特徴とする請求項３に記載の撮影装置。
【請求項５】
撮影光学系を介して被写体を撮像素子により撮像して撮像信号を取得する撮影装置において、
上記撮像信号を動画として記録する動画記録部と、
上記動画記録部の動画記録時に音声情報を取得し、音声データに変換して記録する音声記録部と、
上記動画記録時に駆動音を発生する駆動部と、
上記動画記録部による動画記録動作を開始する前に、上記駆動部を動作させ、この動作時に上記音声記録部によって上記駆動音を取得し、駆動音の逆位相音データを生成して記録する逆位相音信号生成部と、
上記動画記録部による動画記録動作中に、上記駆動部の駆動動作に同期して、上記逆位相音信号生成部の出力する上記逆位相音データに基づいて逆位相音を発生する音声発生部と、
を具備することを特徴とする撮影装置。
【請求項６】
動画撮影に先だって駆動音を発生する駆動部を動作させ、
上記駆動部の動作時に上記駆動音を録音し、
上記駆動音と逆位相音を生成し、
上記逆位相音を記録し、
上記逆位相音の記録後、上記動画撮影を開始し、
上記駆動部の動作時に、記録された上記逆位相音を出力する、
ことを特徴とする撮影方法。
【発明の詳細な説明】
【技術分野】
【０００１】
本発明は、撮影装置および撮影方法に関し、詳しくは、動画記録とともに音声を記録する機能を有する撮影装置および撮影方法に関する。
【背景技術】
【０００２】
近年、静止画撮影のみならず動画撮影機能を有し、さらに音声記録機能も有するデジタルカメラが種々提案されている。このようなデジタルカメラは、動画記録中に、シャッタ、絞り、フォーカス、ズーム機構が駆動すると、この駆動によりノイズ音が発生し、このノイズ音が画像と共に記録されてしまう。
【０００３】
そこで、ノイズ音を除去するために種々提案がなされている。例えば、特許文献１には、所定時間より短時間のノイズ音の場合には音声レベルを一定レベルに減衰させ、所定時間より長時間のノイズ音の場合には音声データに対してフィルタ処理を行う電子カメラが開示されている。
【先行技術文献】
【特許文献】
【０００４】
【特許文献１】特開２００６−２０３３７６号公報
【発明の概要】
【発明が解決しようとする課題】
【０００５】
しかしながら、動画撮影中に駆動機構によって発生するノイズ音は、温度、湿度等の周辺環境により駆動音が変化する。例えば、図７は、減光（Neutral Density）フィルタ（以下、「ＮＤフィルタ」と称す）を、撮影光学系の光路中に挿入し、また抜き出す際に発生する駆動音を、周辺温度の変化と共に示している。図７に示すように、周辺温度が低い場合程、駆動音は高周波となる。
【０００６】
したがって、周辺温度の変化により駆動機構部材の変形等により駆動音が変化した場合、音声データをフィルタ処理によって除去する方法では、ノイズを十分低減することができず、駆動音がノイズとして記録されてしまうおそれがあった。また、従来のＮＤフィルタの撮影光路への挿入や抜き出しに伴って発生する駆動音の記録を防止することについても何ら開示されていない。
【０００７】
本発明は、このような事情を鑑みてなされたものであり、周辺環境の変化に係わらず、動画記録中に駆動機構の駆動音が記録されることを防止することが可能な撮影装置および撮影方法を提供することを目的とする。
【課題を解決するための手段】
【０００８】
上記目的を達成するため第１の発明に係わる撮影装置は、撮影光学系を介して被写体を撮像素子により撮像して撮像信号を取得する撮影装置において、上記撮像信号を動画として記録する動画記録部と、上記動画記録部の動画記録時に音声情報を取得し、音声データに変換して記録する音声記録部と、上記撮影光学系の光路に選択的に光学素子を挿入および抜出動作を可能な光学素子駆動部と、上記動画記録部による動画記録動作を開始する前に、上記光学素子駆動部により上記光学素子を上記光路に挿入および抜出動作を行い、上記音声記録部により上記光学素子の動作に伴い発生する駆動音を取得させ、駆動音の逆位相音データを生成して記録する逆位相音信号生成部と、上記動画記録部による動画記録動作中に、上記光学素子の上記光路への挿入または抜出動作に同期して、上記逆位相音信号生成部の出力する上記逆位相音データに基づいて逆位相音を発生する音声発生部と、を具備する。
【０００９】
第２の発明に係わる撮影装置は、上記第１の発明において、上記光学素子の動作に伴い発生する駆動音が所定量の高周波成分を含むか否かを判定する判定部を有し、上記判定部が、所定量の高周波成分を含むと判定した場合は、動画記録動作中の上記光学素子の上記光路に挿入および抜出動作時には、音声記録のサンプリングレートを下げて音声記録を行い、上記音声発生部が逆位相音を発生することを禁止する。
【００１０】
第３の発明に係わる撮影装置は、上記第１の発明において、上記撮像素子の動作タイミングを制御するタイミング信号を発生する撮像制御部を有し、上記光学素子駆動部は、上記撮像制御部の出力するタイミング信号に同期して、上記光学素子の挿入および抜出動作を行うとともに、上記逆位相音生成部は上記タイミング信号に同期して駆動を取得し上記逆位相音データを生成して記録する。
第４の発明に係わる撮影装置は、上記第３の発明において、上記音声発生部は、上記タイミング信号に同期して、上記逆位相音を発生する。
【００１１】
第５の発明に係わる撮影装置は、撮影光学系を介して被写体を撮像素子により撮像して撮像信号を取得する撮影装置において、上記撮像信号を動画として記録する動画記録部と、上記動画記録部の動画記録時に音声情報を取得し、音声データに変換して記録する音声記録部と、上記動画記録時に駆動音を発生する駆動部と、上記動画記録部による動画記録動作を開始する前に、上記駆動部を動作させ、この動作時に上記音声記録部によって上記駆動音を取得し、駆動音の逆位相音データを生成して記録する逆位相音信号生成部と、上記動画記録部による動画記録動作中に、上記駆動部の駆動動作に同期して、上記逆位相音信号生成部の出力する上記逆位相音データに基づいて逆位相音を発生する音声発生部と、を具備する。
【００１２】
第６の発明に係わる撮影方法は、動画撮影に先だって駆動音を発生する駆動部を動作させ、上記駆動部の動作時に上記駆動音を録音し、上記駆動音と逆位相音を生成し、上記逆位相音を記録し、上記逆位相音の記録後、上記動画撮影を開始し、上記駆動部の動作時に、記録された上記逆位相音を出力する。
【発明の効果】
【００１３】
本発明によれば、動画記録前に駆動音を習得し、これに基づいて逆位相音を生成し記録し、動画記録時であって駆動音の発生時に逆位相音を発生するようにしたので、周辺環境の変化に係わらず、動画記録中に駆動機構の駆動音が記録されることを防止することが可能な撮影装置および撮影方法を提供することができる。
【図面の簡単な説明】
【００１４】
【図１】本発明の一実施形態に係わるデジタルカメラの電気系を主とする全体構成を示すブロック図である。
【図２】本発明の一実施形態に係わるデジタルカメラの駆動音除去の動作を示すフローチャートである。
【図３】本発明の一実施形態に係わるデジタルカメラにおいて、ＮＤフィルタの挿入または抜き出し時の駆動音と、この駆動音の逆位相音を示す波形図である。
【図４】本発明の一実施形態に係わるデジタルカメラにおいて、ＮＤフィルタの挿入または抜き出し時に逆位相音を発生し、駆動音を除去する際の波形図である。
【図５】本発明の一実施形態におけるデジタルカメラにおいて、ＮＤフィルタの挿入または抜き出し時における駆動音で、高周波駆動音と判定する領域を示すグラフである。
【図６】本発明の一実施形態におけるデジタルカメラにおいて、ＮＤフィルタの挿入または抜き出し時における駆動音が高周波の場合の駆動音の除去を説明する図である。
【図７】周辺温度が変化した場合におけるＮＤフィルタの挿入または抜き出し時における駆動音の変化を示す図である。
【発明を実施するための形態】
【００１５】
以下、本発明を適用したデジタルカメラを用いて好ましい実施形態について説明する。図１は、本発明の一実施形態に係るデジタルカメラの電気系を主とする全体構成を示すブロック図である。
【００１６】
被写体からの被写体光束を結像し被写体像を形成する撮影レンズ１の結像面付近には撮像部３が配置される。撮影レンズ１と撮像部３の間には、ＮＤフィルタ２が配置される。ＮＤフィルタ２は、ＮＤフィルタ駆動モータ１２によって、撮影レンズ１の光路中に挿入され、また光路から抜き出し可能に駆動される。
【００１７】
撮像部３は、ＣＣＤ（Charge Coupled Device）センサやＣＭＯＳ（Complementary Metal Oxide Semiconductor）センサ等、フォトダイオードが２次元的に配列された固体撮像素子を含み、撮像素子は、被写体像を光電変換し、画像信号を生成する。撮像部３は撮像制御部４に接続されており、撮像制御部４から供給される垂直同期信号（ＶＤ）や水平同期信号（ＨＤ）等の制御信号やクロックに従って、順次、電荷蓄積や電荷読み出し等がなされる。撮像制御部４は、制御部１０に接続されており、制御部１０からの制御信号およびクロックに従って、撮像部３に送出する制御信号を生成する。
【００１８】
撮像部３は、撮像制御部４による制御に従って画像信号を生成し、この画像信号をＡＤ変換し、デジタル画像データを出力する。この撮像部３の出力は、画像処理部５に接続されており、画像処理部５は、撮像部３から出力されたデジタル画像データのデジタル的増幅（デジタルゲイン調整処理）、色補正、ガンマ（γ）補正、コントラスト補正、白黒・カラーモード処理、ライブビュー表示用処理といった各種の画像処理を行う。また、撮影画像を記録するために画像圧縮処理を行い、また記録済みの撮影画像を再生表示するために画像伸張処理も行う。
【００１９】
画像処理部５の出力は、記録部７に接続されており、画像圧縮された画像データは、記録部７に記録される。また、記録部７から読み出された画像データは、画像処理部５において画像伸張処理され、制御部１０を介して、表示部１６において再生表示される。
【００２０】
フラッシュメモリ６は、電気的に書き換え可能な不揮発性メモリであり、デジタルカメラの動作を制御するためのプログラムや、制御用の調整値等を記憶する。制御部１０は、フラッシュメモリ６に記憶されたプログラムや調整値等に従ってデジタルカメラの制御を行う。
【００２１】
マイク１３は、デジタルカメラの前面等に配置され、音声を音声信号に変換し出力する。スピーカ１４は、デジタルカメラの背面等に配置され、音声データを音声に変換する。マイク１３の出力、およびスピーカ１４の入力は、音声処理部１１に接続され、また、音声処理部１１は、制御部１０に接続されている。音声処理部１１は、制御部１０からの制御信号に従って動作し、マイク１３から出力される音声信号をデジタル音声データに変換し音声圧縮処理し、記録部７に画像データと共に記録する。また、音声処理部１１は、記録部７に記録された音声データを音声伸張処理し、この伸張処理した音声データをスピーカ１４に出力し、音声出力する。
【００２２】
また、音声処理部１１は、後述するように、撮影前にＮＤフィルタ２の挿入時または抜き出し時にマイク１３によって取得した音声信号に基づいて、逆位相の音声データを生成し、この音声逆位相データを、音声処理部１１内のメモリ１１ａに一時記憶する。撮影時には、メモリ１１ａに一時記憶された逆位相の音声データを読み出し、スピーカ１４に出力し音声に変換する。この逆位相の音声によって、ＮＤフィルタ２の挿入時または抜き出し時に発生する駆動音を消音することができる。さらに、音声処理部１１は、音声データの中に高周波領域で所定値より振幅の大きい音声が含まれているか否かの判定を行うことができる。
【００２３】
表示部１６は、制御部１０に接続され、デジタルカメラの背面等に配置された液晶モニタや有機ＥＬモニタ等の表示モニタを有する。この表示部１６には、撮影前には、撮像部３によって取得された画像信号に基づいてライブビュー画像を表示し、また、再生時には、記録部７に記録された画像を再生表示する。なお、表示部１６はデジタルカメラの背面以外にも、撮影者が観察できる位置であれば、背面に限られない。
【００２４】
操作部１７は、制御部１０に接続され、パワースイッチ、レリーズ釦、十字釦、ＯＫ釦等種々の操作部材を含み、これらの操作部材の操作状態を制御部１０に出力する。制御部１０は操作部１７の操作状態に応じて、デジタルカメラの制御を行う。撮影モード設定部１８は、制御部１０に接続され、再生モード、動画撮影モード、静止画撮影モードの設定部である。制御部１０は撮影モード設定部１８によって設定された撮影モードに応じて、デジタルカメラの制御を行う。
【００２５】
次に、本実施形態における動作、特に、ＮＤフィルタ２の動作に応じて発生する駆動音の消音のための動作について、説明する。図２に示すフローチャートに基づく説明に先立って、本実施形態における駆動音の消音の仕方について、図３ないし図６を用いて説明する。図３に、撮影前に、ＮＤフィルタ２の挿入および抜き出し時に発生する駆動音３１と逆位相音３２を示す。
【００２６】
図３において、時刻ｔ０１から時刻ｔ０４は、動画撮影モードが選択され、画像が形成されないタイミングである。動画は水平同期信号ＨＤとフレームの区切りを示す垂直同期信号ＶＤに同期して画像が生成され、垂直同期信号ＶＤの切り換わり時点（時刻ｔ０２）の前後の所定時間は、画像が形成されないタイミングである。本実施形態においては、このタイミングを利用して、ＮＤフィルタ２の挿入および抜き出しを行う。なお、画像が形成されない時間は、時刻ｔ０１〜時刻ｔ０４よりも一般的には長い。
【００２７】
時刻ｔ０１は、前述したように、垂直同期信号ＶＤの切り換わり時点（時刻ｔ０２）の所定時間前であり、かつ画像が形成されないタイミングであり、しかも水平同期信号ＨＤの立ち上がりのタイミングにあたる。時刻ｔ０１になると、ＮＤフィルタ駆動モータ１２はＮＤフィルタ２を撮影レンズ１の光路中に挿入させ、挿入完了後は光路から抜き出すように駆動を開始する。ＮＤフィルタ駆動モータ１２の駆動開始に同期して、マイク１３による録音を開始する。ＮＤフィルタ駆動モータ１２が駆動することにより、図示の如く、駆動音３１が発生するので、マイク１３はこの駆動音３１を取得することができ、この駆動音３１に基づく音声データはメモリ１１ａに一時記憶され、すなわち、録音動作がなされる。
【００２８】
時刻ｔ０３は、動画の画像が形成されないタイミングであり、しかも水平同期信号ＨＤの立ち上がりのタイミングにあたる。この時刻ｔ０３になると、ＮＤフィルタ駆動モータ１２は、ＮＤフィルタ２の抜き出しも終わることから駆動動作を停止する。ＮＤフィルタ駆動モータ１２は駆動を停止しても短時間ではあるが駆動音が生ずるが、水平同期信号ＨＤの立下りのタイミングに同期する時刻ｔ０４になると、駆動音３１もなくなり、マイク１３から取得する駆動音３１の録音を停止する。
【００２９】
このように、動画の画像が形成されないタイミングで、ＮＤフィルタ２を撮影レンズ１の光路中に挿入および抜き出しを行い、このときの駆動音３１が録音される。録音されると、次に、音声処理部１１は駆動音３１と逆位相にした逆位相音３２を生成する。この逆位相音３２の音声データはメモリ１１ａに一時記憶される。
【００３０】
次に、動画の撮影が開始され、被写体の輝度等によってＮＤフィルタ２を挿入し、または抜き出しを行う場合、ＮＤフィルタ２の駆動音の消音について図４を用いて説明する。時刻ｔ１１から時刻ｔ１４は、時刻ｔ０１から時刻ｔ０４と同様、画像が形成されないタイミングである。時刻ｔ１１は、時刻ｔ０１と同様、垂直同期信号ＶＤの切り換わり時点（時刻ｔ１２）の所定時間前であり、かつ画像が形成されないタイミングであり、しかも水平同期信号ＨＤの立ち上がりのタイミングにあたる。
【００３１】
時刻ｔ１１になると、ＮＤフィルタ駆動モータ１２はＮＤフィルタ２を撮影レンズ１の光路中に挿入させ、または光路中から抜き出すように駆動を開始する。ＮＤフィルタ駆動モータ１２が駆動開始に同期して、音声処理部１１は、メモリ１１ａに一時記憶された逆位相音３２の音声データを読み出し、スピーカ１４に出力し、逆位相のスピーカ出力音３２ａを発生する。逆位相音の音声データを生成したときと、ＮＤフィルタ２を光路中に挿入したときの時間差は無視できる程度であり、そのため周囲の温度は略同じであることから、ＮＤフィルタ２の挿入時または抜出時に発生する駆動音は略同じである。このため、この逆位相のスピーカ出力音３２ａを発生させると、ＮＤフィルタ２の挿入または抜き出しによって発生する駆動音が打ち消されて消音され、動画撮影中にノイズ音が記録されることがなくなる。
【００３２】
時刻ｔ１３は、時刻ｔ０３と同様、動画の画像が形成されないタイミングであり、しかも水平同期信号ＨＤの立ち上がりのタイミングにあたる。この時刻ｔ１３になると、ＮＤフィルタ駆動モータ１２は、ＮＤフィルタ２の挿入または抜き出しの駆動を停止する。さらに、水平同期信号ＨＤの立下りのタイミングに同期する時刻ｔ１４になると、スピーカ１４からの逆位相音のスピーカ出力音３２ａの発生を停止する。
【００３３】
このように、本実施形態においては、ＮＤフィルタ２の駆動時に発生する駆動音を動画の撮影に先だって取得し、これから逆位相音の音声データを生成し記憶している。動画の撮影中にＮＤフィルタ２の挿入または抜き出しの駆動を行う場合には、この動作に合わせて逆位相音を発生させ、駆動音を消音させる。このため、動画撮影中にノイズ音が記録されることがなくなる。
【００３４】
本実施形態においては、上述した逆位相音による駆動音の消音に加えて、高周波の駆動音の場合には音声信号のＡＤ変換にあたって、サンプリングレートの変更による消音も行っている。この消音の仕方について、図５および図６を用いて説明する。
【００３５】
図５は、横軸にＮＤフィルタ２の駆動音の周波数、縦軸に駆動音の振幅とした際において、ＮＤフィルタ２の挿入または抜き出し時に発生する駆動音で、高周波駆動音と判定する領域を示すグラフある。図５に示すように、本実施形態においては、周波数がＡより高周波であり、かつ振幅がＢ以上の領域（図５において斜線を施した領域）を、高周波駆動音領域とする。なお、実際の駆動音では、高周波駆動音領域に限らず、これ以外の領域の成分も含まれるが、高周波駆動音領域の成分が含まれていれば、本実施形態においては、高周波駆動音領域と判定する。
【００３６】
図６において、時刻ｔ２１から時刻ｔ２４は、時刻ｔ１１から時刻ｔ１４と同様、画像が形成されないタイミングである。時刻ｔ２１は、時刻ｔ１１と同様、垂直同期信号ＶＤの切り換わり時点（時刻ｔ２２）の所定時間前であり、かつ画像が形成されないタイミングであり、しかも水平同期信号ＨＤの立ち上がりのタイミングにあたる。
【００３７】
時刻ｔ２１になると、ＮＤフィルタ駆動モータ１２はＮＤフィルタ２を撮影レンズ１の光路中に挿入させ、または光路中から抜き出すように駆動を開始する。ＮＤフィルタ駆動モータ１２が駆動開始すると、高周波でない場合には駆動音３１が発生するが、高周波の場合には駆動音３１ａが発生する。
【００３８】
高周波領域の駆動音３１ａが発生した場合には、高周波領域での駆動音がない場合に比較してサンプリングレートを低くする。すなわち、ＡＤ変換するためのサンプリングのため周期が、高周波でない場合には周期Ｔ１であり、一方、高周波の場合には周期Ｔ２（Ｔ１＜Ｔ２）とする。サンプリングレートを低くすることにより、ＮＤフィルタ２の駆動音の変化に対して鈍感となり、ノイズ音の影響を小さくでき消音効果を奏する。高周波領域では逆位相音を発生させるタイミングが少しでもずれると、駆動音と逆位相音が相殺されず元々の音量よりも大きくなってしまう可能性がある。そこで、本実施形態においては、サンプリングレートを下げることによってノイズ音を小さくしている。
【００３９】
このように、本実施形態においては、ＮＤフィルタ２の駆動音が高周波領域にない場合には、逆位相音を発生させることにより駆動音を消音し、また、駆動音が高周波領域にある場合には、ＡＤ変換のサンプリングレートを低くすることにより駆動音の消音を図っている。なお、駆動音が高周波領域にある場合には、逆位相音の発生を禁止している。
【００４０】
次に、ＮＤフィルタ２の動作に応じて発生する駆動音の消音のための動作について、図２に示すフローチャートを用いて説明する。このフローは、フラッシュメモリ６に記憶されているプログラムに従って、制御部１０が実行する。
【００４１】
カメラが起動すると、撮影モードの判定を行う（Ｓ１）。撮影モード設定部１８において、撮影モードの設定が行われるので、このステップでは、この設定に基づいて判定する。撮影モードの判定の結果、静止画撮影モードであった場合には、静止画撮影を行う（Ｓ３）。ここでは、表示部１６にライブビュー表示を行い、撮影者はライブビュー表示に基づいて構図やシャッタチャンスを決定し、レリーズ釦を全押しすることにより、撮影画像が記録部７に記録される。
【００４２】
ステップＳ１における判定の結果、撮影モードが再生モードであった場合には、画像再生を行う（Ｓ５）。ここでは、記録部７に記録された撮影画像の画像データを読み出し、表示部１６に表示する。
【００４３】
ステップＳ１における判定の結果、動画撮影モードであった場合には、撮像信号が所定のタイミングであるか否かの判定を行う（Ｓ７）。図３を用いて説明したように、撮像信号の内の垂直同期信号ＶＤの反転前後では、画像が形成されないタイミングがある。このステップＳ７においては、画像が形成されないタイミングに入っているか否かを撮像信号の垂直同期信号ＶＤと水平同期信号ＨＤに基づいて判定する。
【００４４】
ステップＳ７における判定の結果、撮像信号が所定のタイミングになると、次に、ＮＤフィルタ２の挿入および抜き出しを行い、同時に録音を行う（Ｓ９）。ここでは、図３を用いて説明したように、ＮＤフィルタ駆動モータ１２によってＮＤフィルタ２を撮影レンズ１の光路中に挿入し、挿入完了後、光路から抜き出しを行う。この時発生する駆動音をマイク１３によって取得し、音声処理部１１内の一時記憶部に記憶する。
【００４５】
続いて、一時記憶された駆動音が高周波か否かの判定を行う（Ｓ１１）。ここでは、図５を用いて説明したように、音声処理部１１によって駆動音が高周波駆動音領域にあるか否かを判定する。この判定の結果、高周波であれば、次に、録音した駆動音の逆位相音を生成する（Ｓ１３）。ここでは、図３を用いて説明したように、録音した駆動音３１の音声データに基づいて、逆位相音３２の音声データを生成する。
【００４６】
逆位相音を生成すると、次に、逆位相音をメモリに記録する（Ｓ１５）。ここでは、逆位相音３２の音声データを音声処理部１１内のメモリ１１ａに挿入時の逆位相音と抜き出し時の逆位相音を別々のデータとして一時記憶する。続いて、動画撮影を開始したか否かの判定を行う（Ｓ１７）。ここでは、レリーズ釦が操作されたか否かの判定を行う。本実施形態においては、動画撮影モードが設定されている場合には、レリーズ釦が操作されると、動画撮影を開始し、再度、レリーズ釦が操作されると動画撮影を終了する。
【００４７】
ステップＳ１７における判定の結果、動画の撮影が開始された場合には、次に、Ｐ線図に合わせてＮＤフィルタ２を挿入するか抜き出すかの判定を行う（Ｓ１９）。本実施形態における露出制御は、撮像部３から出力される画像データに基づいて、被写体輝度を求め、これに基づいて、絞り値、シャッタ速度、ＩＳＯ感度等をプログラム線図（Ｐ線図）より決定する。被写体輝度が明る過ぎる場合には、絞り値、シャッタ速度等の制御範囲外になる場合もあることから、この場合には、撮影レンズ１の光路中にＮＤフィルタ２を挿入し、露出を変更する。そこで、このステップ１９では、被写体が明るい場合にＮＤフィルタ２を挿入するか、またはＮＤフィルタ２の挿入後、被写体が暗くなりＮＤフィルタ２を抜き出すかをＰ線図に基づいて判定する。
【００４８】
ステップＳ１９における判定の結果、ＮＤフィルタの挿入または抜き出しを行う場合には、次に、撮像信号が所定のタイミングか否かの判定を行う（Ｓ２１）。ここでは、図４を用いて説明したように、画像が形成されないタイミングに入っているか否かを撮像信号の垂直同期信号ＶＤと水平同期信号ＨＤに基づいて判定する。
【００４９】
ステップＳ２１における判定の結果、撮像信号が所定のタイミングであった場合には、次に、ＮＤフィルタ２の挿入または抜き出しを実行すると同時に、音声処理部１１内のメモリ１１ａに記録された挿入時または抜き出し時の逆位相音を出力する（Ｓ２３）。ここでは、ステップＳ１５においてメモリ１１ａに記録された逆位相音３２をスピーカ１４から発生する。逆位相音３２を発生することにより、駆動音３１が打ち消され消音されるので、動画の記録の際に、駆動音が記録されることがない。
【００５０】
ステップＳ２３において逆位相音を出力すると、またはステップＳ１９における判定の結果、ＮＤフィルタ２の挿入または抜き出しを実行しない場合には、次に、撮影終了か否かの判定を行う（Ｓ２５）。動画撮影中に、レリーズ釦が、再度、操作されると動画撮影終了であることから、このステップでは、レリーズ釦の操作状態に基づいて判定する。この判定の結果、撮影終了でなかった場合には、ステップＳ１９に戻り、動画撮影を続行する。
【００５１】
ステップＳ１１における判定の結果、ＮＤフィルタ２の挿入および抜き出し時に録音した駆動音に高周波が含まれていた場合には、ステップＳ１７と同様に、動画撮影の開始か否かを判定する（Ｓ３１）。この判定の結果、動画撮影開始であった場合には、次に、ステップＳ１９と同様に、Ｐ線図に合わせてＮＤフィルタ２を挿入するか抜き出すかの判定を行う（Ｓ３３）。
【００５２】
ステップＳ３３における判定の結果、ＮＤフィルタ２の挿入または抜き出しを行う場合には、次に、録音のサンプリングレートを下げる（Ｓ３５）。ここでは、図６を用いて説明したように、ＮＤフィルタ２の挿入時または抜き出し時に、録音音声のＡＤ変換にあたって、サンプリングレートを下げるようにする。
【００５３】
サンプリングレートを下げると、次に、ＮＤフィルタ２の挿入または抜き出しを行う（Ｓ３７）。ＮＤフィルタ２の挿入または抜き出しが終わると、次に、録音のサンプリングレートを元に戻す。ＮＤフィルタ２の挿入または抜き出しに伴う駆動音の発生が無くなるからである。
【００５４】
ステップＳ３７において、サンプリングレートを元に戻すと、またはステップＳ３３における判定の結果、ＮＤフィルタ２の挿入または抜き出しがなかった場合には、次に、ステップＳ２５と同様に、撮影終了か否かの判定を行う（Ｓ４１）。ここでは、レリーズ釦の操作状態に基づいて判定する。この判定の結果、撮影終了でなかった場合には、ステップＳ３３に戻り、動画撮影を続行する。
【００５５】
ステップＳ２５またはステップＳ４１において撮影が終了と判定されると、または、ステップＳ３において静止画撮影が終了すると、またはステップＳ５において画像再生が終了すると、このフローを終了する。
【００５６】
以上説明したように、本発明の一実施形態においては、動画記録動作を開始する前に、ＮＤフィルタ駆動モータ１２によりＮＤフィルタ２を撮影レンズ１の光路に挿入および抜出動作を行い、このときマイク１３により駆動音を取得し、音声処理部１１は駆動音の逆位相音データを生成してメモリ１１ａに記録している。そして、動画記録動作中に、ＮＤフィルタ２の撮影レンズ１の光路への挿入動作または抜出動作に同期して、逆位相音をスピーカ１４より発生するようにしている。このため、周辺環境の変化に係わらず、動画記録中に駆動機構の駆動音が記録されることを防止することができる。
【００５７】
なお、本発明の一実施形態においては、ＮＤフィルタ２の光路に挿入または抜き出しの際に発生する駆動音の防止について説明したが、ＮＤフィルタ２に限らず、紫外線カットフィルタ、偏光フィルタ、色彩強調フィルタ、色温度変換フィルタ等の各種フィルタや光学素子でもよい。また、各種フィルタ等の光学素子に限らず、絞り、フォーカス機構、ズーム機構等、駆動音を発生する駆動部であってもよい。
【００５８】
また、本発明の一実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。いずれにしても、動画撮影と共に、録音機能を有する撮影のための機器であれば、本発明を適用することができる。
【００５９】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００６０】
１・・・撮影レンズ、２・・・ＮＤフィルタ、３・・・撮像部、４・・・撮像制御部、５・・・画像処理部、６・・・フラッシュメモリ、７・・・記録部、１０・・・制御部、１１・・・音声処理部、１１ａ・・・メモリ、１２・・・ＮＤフィルタ駆動モータ、１３・・・マイク、１４・・・スピーカ、１６・・・表示部、１７・・・操作部、１８・・・撮影モード設定部、３１・・・駆動音、３１ａ・・・駆動音、３２・・・逆位相音、３２ａ・・・スピーカ出力音
【図１】
2012018203.tif 000003
【図２】
2012018203.tif 000004
【図３】
2012018203.tif 000005
【図４】
2012018203.tif 000006
【図５】
2012018203.tif 000007
【図６】
2012018203.tif 000008
【図７】
2012018203.tif 000009